(57)【特許請求の範囲】
【請求項１】
ディスク本体と、当該ディスク本体に形成された挿通孔に挿通されると共に先端部側が当該ディスク本体の一面から突出するように当該ディスク本体に配設されたクリーニング部と、当該クリーニング部が挿通された前記挿通孔を覆いかつ当該クリーニング部の基端部と接触するようにして前記ディスク本体の他面に配設されると共に保液性を有して保液している液体を当該クリーニング部の前記基端部から前記先端部に向けて供給する保液部とを備えて光ピックアップのレンズをクリーニング可能に構成され、
前記ディスク本体の前記他面には、前記保液部の厚み以上の厚みに形成されたガード部が当該保液部の上面を覆うことなく当該保液部を取り囲むようにして配設されているレンズクリーナ。
【請求項２】
前記クリーニング部を複数備え、当該各クリーニング部は前記ディスク本体の中心からの距離が互いに異なる位置に配設されている請求項１記載のレンズクリーナ。
【請求項３】
前記クリーニング部が挿通された複数の挿通孔をそれぞれ覆う複数の前記保液部を備えている請求項１または２記載のレンズクリーナ。
【発明の詳細な説明】
【技術分野】
【０００１】
本発明は、光ピックアップのレンズをクリーニングするためのレンズクリーナに関するものである。
【背景技術】
【０００２】
この種のレンズクリーナとして、特開平８−２１２５７６号公報に開示された清掃部材が知られている。この清掃部材は、情報記録媒体（ＬＤ）と略同一形状の盤体を備えて構成され、この盤体におけるリードイントラックおよびプレイトラックには、ディスク装置における光学ヘッドユニットのレンズに接触することにより、レンズに付着している汚れを除去する４本の第１ブラシ体および４本の第２ブラシ体（以下、第１ブラシ体および第２ブラシ体を区別しないときには「ブラシ体」ともいう）がそれぞれ植設されている。また、この清掃部材では、清掃効率を向上させるために、各ブラシ体のいずれかに代えて、レンズに液体（クリーニング液）を供給（塗布）するための液供給体を装着することが可能となっている。
【特許文献１】特開平８−２１２５７６号公報（第２−３頁、第１−４図）
【発明の開示】
【発明が解決しようとする課題】
【０００３】
ところが、上記の清掃部材には、以下の問題点がある。すなわち、この清掃部材では、ブラシ体と液供給体とが別体に構成されて、互いに離間した位置に配設されているため、液体が供給されたレンズにブラシ体が接触せずに液体がそのまま残留して、その残留した液体に埃が付着することで却ってレンズが汚れるおそれがある。このため、この問題点を解決するために、保液性を有する保液部をブラシ体の基端部に配設して、保液部に染み込ませた液体をブラシ体に供給してブラシ体を湿らせた状態でレンズを接触させることで、清掃効率を向上させると共にレンズへの液体の残留を防止し得るレンズクリーナが開発されている。
【０００４】
しかしながら、上記のような保液部を備えたレンズクリーナにも問題点がある。具体的には、保液部を配設するための凹部等を厚みが１．２ｍｍ程度の盤体に形成するのが困難なため、この種のレンズクリーナでは、保液部を配設する方法として、ブラシ体の基端部側に位置する盤体の一方の面に例えば布状の保液部を貼付する方法が一般的に採用されている。この場合、この方法を採用したレンズクリーナでは、保液部を貼付した部分が他の部分よりもやや厚くなっている。このため、例えば、フロントローディングタイプ（スロットインタイプ）のディスク装置にこのレンズクリーナを装着（ローディング）させる際に、ディスク装置の引き込み用ローラーによって保液部が圧迫されて、液体が保液部からディスク装置内部に流れ出すおそれがある。したがって、この種のレンズクリーナには、ディスク装置内部に流れ出した液体によってディスク装置が故障するおそれがあるという問題点が存在する。
【０００５】
本発明は、かかる問題点に鑑みてなされたものであり、液体の流れ出しを防止しつつレンズの汚れを確実に除去し得るレンズクリーナを提供することを主目的とする。
【課題を解決するための手段】
【０００６】
上記目的を達成すべく本発明に係るレンズクリーナは、ディスク本体と、当該ディスク本体に形成された挿通孔に挿通されると共に先端部側が当該ディスク本体の一面から突出するように当該ディスク本体に配設されたクリーニング部と、当該クリーニング部が挿通された前記挿通孔を覆いかつ当該クリーニング部の基端部と接触するようにして前記ディスク本体の他面に配設されると共に保液性を有して保液している液体を当該クリーニング部の前記基端部から前記先端部に向けて供給する保液部とを備えて光ピックアップのレンズをクリーニング可能に構成され、前記ディスク本体の前記他面には、前記保液部の厚み以上の厚みに形成されたガード部が当該保液部の上面を覆うことなく当該保液部を取り囲むようにして配設されている。
【０００７】
この場合、前記クリーニング部を複数備えて、前記ディスク本体の中心からの距離が互いに異なる位置に当該各クリーニング部を配設する構成を採用することができる。
【０００８】
また、前記クリーニング部が挿通された複数の挿通孔をそれぞれ覆う複数の前記保液部を備えた構成を採用することができる。
【発明の効果】
【０００９】
本発明に係るレンズクリーナによれば、保液部の厚み以上の厚みに形成されたガード部を保液部を取り囲むようにしてディスク本体の他面に配設したことにより、例えば、フロントローディングタイプのディスク装置にレンズクリーナを挿入した際における、ディスク装置の引き込み用ローラーと保液部との接触を確実に回避することができる。このため、引き込み用ローラーによって保液部が圧迫されることに起因して保液部から液体がディスク装置内部に流れ出す事態を確実に防止することができる。また、クリーニング部に液体を供給する保液部をディスク本体の他面に配設したことにより、クリーニング部に供給された液体による汚れの軟化や溶解の効果と、クリーニング部の接触による汚れの掻き取り効果とが同時に作用する結果、ディスク装置における光ピックアップのレンズに汚れが固着していたとしても、その固着している汚れを確実に除去することができる。したがって、このレンズクリーナによれば、液体の流れ出しに起因するディスク装置の故障を確実に防止しつつ、ディスク装置における光ピックアップのレンズの汚れを確実に除去することができる。
【００１０】
また、本発明に係るレンズクリーナによれば、ディスク本体の中心からの距離が互いに異なる位置に複数のクリーニング部を配設したことにより、移動している光ピックアップのレンズに対するクリーニング部の接触の頻度を十分に高めることができるため、クリーニングの効率を十分に向上させることができる。
【００１１】
また、本発明に係るレンズクリーナによれば、クリーニング部が挿通された複数の挿通孔をそれぞれ覆う複数の保液部を備えたことにより、複数のクリーニング部に液体を供給させることができるため、クリーニングの効率を一層向上させることができる。
【発明を実施するための最良の形態】
【００１２】
以下、本発明に係るレンズクリーナの最良の形態について、添付図面を参照して説明する。
【００１３】
最初に、レンズクリーナ１の構成について、図面を参照して説明する。
【００１４】
図１に示すレンズクリーナ１は、本発明に係るレンズクリーナの一例であって、同図および図２，３に示すように、ディスク本体２、５つのクリーニング部３、２つの保液部４、および２つのガード部５を備えて構成されている。ディスク本体２は、クリーニング対象としての光ピックアップ１０１（図８参照）を備えたディスク装置１００（図６参照）に装着されるディスク状の情報記録媒体（一例として、ＣＤやＤＶＤ）とほぼ同じ大きさで、かつほぼ同じ厚みの中心孔２ａを有する円板状に形成されている。
【００１５】
また、ディスク本体２の一面（以下、この面を「記録面２１」ともいう）側の中心部における環状エリア２１ａ（図２参照）には、ディスク装置１００に対してレンズクリーナ１を認識させるためのＴＯＣ（Table Of Contents ）情報が記録されている。この場合、環状エリア２１ａの位置は、情報記録媒体におけるリードインエリア（インデックスデータ等が記録されているエリア）と同じか若しくはほぼ同じ位置に規定されている。また、ディスク本体２の他面（以下、この面を「レーベル面２２」ともいう）には、図１に示すように、例えば、レンズクリーナ１の使用方法等を示す文字２４が印刷（表記）されている。
【００１６】
また、ディスク本体２には、図１，２に示すように、クリーニング部３の基端部３２（図４参照）側を挿入可能な直径が０．６ｍｍ程度の５つの挿通孔２３が形成されている。この場合、各挿通孔２３の形成位置は、各々の開口部が記録面２１の環状エリア２１ａ内に位置し、かつディスク本体２の中心から各々の開口部までの距離が互いに異なるように規定されている。
【００１７】
クリーニング部３は、図４に示すように、複数のナイロン製の細線を束ねることによって長さが３ｍｍ程度で直径が０．５ｍｍ程度のブラシ状に形成されている。また、各クリーニング部３は、ディスク本体２の各挿通孔２３に基端部３２側が挿入されると共に、先端部３１（一端部）側がディスク本体２の記録面２１から１ｍｍ程度だけ突出した状態、つまり記録面２１からやや伸び出るように延出した状態で、接着剤等によって基端部３２側がディスク本体２に固定されている。
【００１８】
保液部４は、図５に示すように、保液性および吸水性を有する布帛や不織布を材料として、直径が１０ｍｍで、かつ厚みが０．５ｍｍ程度の円板状に形成されている。また、各保液部４は、図１に示すように、ディスク本体２における各挿通孔２３のうちの２つの挿通孔２３の形成部位をそれぞれ覆うようにしてその貼付面４１（図４参照）をレーベル面２２に密着させた状態で接着剤等によってディスク本体２に貼付（配設）されている。この場合、同図に示すように、ディスク本体２に貼付された状態では、保液部４の貼付面４１とクリーニング部３の基端部３２とが接触している。このため、クリーニング液２０１（本発明における液体：図３参照）を保液部４に染み込ませた（保液させた）ときには、保液部４によって保液されているクリーニング液２０１がクリーニング部３に供給される。
【００１９】
ガード部５は、図４，５に示すように、中心部に保液部４の直径よりもやや大径（例えば、１０．２ｍｍ程度）の中心孔５１が形成されると共に、中央部側のリング部５２の厚みが保液部４の厚み以上の厚み（例えば、１ｍｍ程度）で、かつ外周部側のリング部５３の厚みが保液部４の厚みと同程度の厚み（例えば、０．５ｍｍ程度）の段付きの円環状に形成されている。また、ガード部５は、保液部４を取り囲むようにしてディスク本体２のレーベル面２２に接着剤等によって貼付（配設）されている。この場合、ガード部５は、フロントローディングタイプのディスク装置１００にレンズクリーナ１を装着させる際に、レンズクリーナ１がディスク装置１００の引き込み用ローラー１０３ａ，１０３ｂ，１０３ｃ（図６参照：以下、区別しないときには「引き込み用ローラー１０３」ともいう）によって引き込まれるときの保液部４に対する引き込み用ローラー１０３からの押圧をガードする機能を有している。
【００２０】
次に、レンズクリーナ１を用いて、例えばフロントローディングタイプのディスク装置１００における光ピックアップ１０１のレンズ１０２（図８参照）をクリーニングする方法について、図面を参照して説明する。
【００２１】
まず、図３に示すように、ディスク本体２の記録面２１を下向きにした状態で、ボトル２００内のクリーニング液２０１を保液部４に滴下する。この際に、滴下されたクリーニング液２０１が保液部４によって保液される。また、保液部４によって保液されたクリーニング液２０１は、保液部４に接触しているクリーニング部３の基端部３２から先端部３１に向けて徐々に供給される。次いで、図６に示すように、ディスク本体２の記録面２１を下向きにした状態で、レンズクリーナ１をディスク装置１００の挿入口に挿入する。この際に、ディスク装置１００の引き込み用ローラー１０３がレンズクリーナ１におけるディスク本体２の記録面２１とレーベル面２２に当接して両面２１，２２側からディスク本体２を挟み込みつつ、ディスク装置１００の内側に引き込む。
【００２２】
この場合、図７に示すように、その厚みが保液部４の厚みよりも厚いガード部５が保液部４を取り囲むようにして配設されているため、引き込み用ローラー１０３ｃと保液部４との接触が回避される。つまり、保液部４に対する引き込み用ローラー１０３ｃからの押圧がガード部５によってガードされる。このため、引き込み用ローラー１０３ｃによって保液部４が圧迫されることに起因して保液部４からクリーニング液２０１がディスク装置１００の内部に流れ出す事態が確実に防止される。
【００２３】
続いて、ディスク装置１００に対して再生操作を行う。これに応じて、ディスク装置１００が、光ピックアップ１０１を介してのレンズクリーナ１に記録されているＴＯＣ情報の読み出しを開始する。次いで、ディスク装置１００は、読み出したＴＯＣ情報に基づき、セットされているレンズクリーナ１が例えばＣＤ（またはＣＤと同様の構成の円板体）であると判別して、インデックスデータを読み出すべく、駆動モータによるレンズクリーナ１の回転、および光ピックアップ１０１によるフォーカシングを開始させる。
【００２４】
この際に、光ピックアップ１０１は、検出光を射出すると共にその検出光の反射光を受光しつつ、図８に示すように、レンズクリーナ１の環状エリア２１ａに対向する領域内において、レンズクリーナ１（ディスク本体２）の半径方向に沿って往復移動すると共に、上下方向に往復移動することによってフォーカシングを行う。この際に、レンズクリーナ１の回転によってクリーニング部３の先端部が光ピックアップ１０１のレンズ１０２に接触する。この場合、基端部３２側に保液部４が配設されたクリーニング部３の先端部３１には、保液部４からクリーニング液２０１が供給されている。このため、クリーニング液２０１による汚れの軟化や溶解の効果と、クリーニング部３の接触による汚れの掻き取り効果とが同時に作用する結果、レンズ１０２に汚れが固着していたとしても、その固着している汚れが確実に除去される。また、ディスク本体２の中心からの距離が互いに異なる位置に複数（この例では５つ）のクリーニング部３が配設されているため、移動している光ピックアップ１０１に対してクリーニング部３が高い頻度で接触するため、クリーニングの効率が十分に向上される。
【００２５】
上記の動作を所定時間継続させてクリーニングを実行した後に、クリーニングを終了させる際には、ディスク装置１００に対して停止操作を行う。これに応じて、ディスク装置１００が、光ピックアップ１０１を制御して、光ピックアップ１０１を初期状態の位置に移動させた後に、動作を停止させる。また、ディスク装置１００は、駆動モータによるレンズクリーナ１の回転を停止させる。これにより、レンズクリーナ１の回転が停止して、レンズ１０２に対するクリーニングが終了すると共に、レンズクリーナ１がディスク装置１００から取り出し可能な状態となる。
【００２６】
このように、保液部４の厚み以上の厚みに形成されたガード部５を保液部４を取り囲むようにしてディスク本体２のレーベル面２２に配設したことにより、フロントローディングタイプのディスク装置１００にレンズクリーナ１を挿入した際における、ディスク装置１００の引き込み用ローラー１０３と保液部４との接触を確実に回避することができる。このため、引き込み用ローラー１０３によって保液部４が圧迫されることに起因して保液部４からクリーニング液２０１がディスク装置１００内部に流れ出す事態を確実に防止することができる。
【００２７】
また、このレンズクリーナ１によれば、クリーニング部３にクリーニング液２０１を供給する保液部４をディスク本体２のレーベル面２２に配設したことにより、クリーニング部３に供給されたクリーニング液２０１による汚れの軟化や溶解の効果と、クリーニング部３の接触による汚れの掻き取り効果とが同時に作用する結果、ディスク装置１００における光ピックアップ１０１のレンズ１０２に汚れが固着していたとしても、その固着している汚れを確実に除去することができる。したがって、このレンズクリーナ１によれば、クリーニング液２０１の流れ出しに起因するディスク装置１００の故障を確実に防止しつつ、ディスク装置１００における光ピックアップ１０１のレンズ１０２の汚れを確実に除去することができる。
【００２８】
また、このレンズクリーナ１によれば、ディスク本体２の中心からの距離が互いに異なる位置に複数のクリーニング部３を配設したことにより、移動している光ピックアップ１０１に対するクリーニング部３の接触の頻度を十分に高めることができるため、クリーニングの効率を十分に向上させることができる。
【００２９】
また、このレンズクリーナ１によれば、クリーニング部３が挿通された複数の挿通孔２３のうちの２つ（複数）をそれぞれ覆う２つの保液部４を備えたことにより、２つのクリーニング部３にクリーニング液２０１を供給させることができるため、クリーニングの効率を一層向上させることができる。
【００３０】
なお、本発明は上記の構成に限定されない。例えば、５つのクリーニング部３を備えた例について上記したが、クリーニング部３の数は、これに限定されず任意の数に規定することができる。また、ガード部５としては、上記した形状に限定されず、例えば、図９に示すように、外縁部の上部にテーパー面を形成して断面５角形のガード部５Ａや、図１０に示すように、外縁部全体をテーパー面で形成して断面三角形のガード部５Ｂのように、ガード部の形状は任意に形成することができる。また、平面視形状についても、円環形に限定されず、楕円状や多角形状等の任意の形状に形成することができる。
【００３１】
さらに、２つの挿通孔２３を覆うようにして配設した２つの保液部４を備えた例について上記したが、１つの挿通孔２３を覆うように１つの保液部４を配設することもできるし、３つ以上の挿通孔２３を覆うように３つの保液部４を配設する構成を採用することもできる。さらに、１つの挿通孔２３を１つの保液部４で個別に覆う構成に代えて、図１１に示すレンズクリーナ１Ａのように、複数（例えば２つ）の挿通孔２３を例えば円弧状に形成した１つの保液部４Ａで覆い、この保液部４Ａを取り囲むようにして円弧状のガード部５Ｃを配設する構成を採用することもできる。また、布帛や不織布で保液部４を形成した例について上記したが、材質はこれに限定されず、例えば発泡性樹脂で保液部４を形成することもできる。
【図面の簡単な説明】
【００３２】
【図１】レーベル面２２側から見たレンズクリーナ１の平面図である。
【図２】記録面２１側から見たレンズクリーナ１の平面図である。
【図３】保液部４にクリーニング液２０１を供給している状態のレンズクリーナ１の側面図である。
【図４】図１におけるＧ−Ｇ線断面図である。
【図５】保液部４およびガード部５の斜視図である。
【図６】ディスク装置１００の引き込み用ローラー１０３ａ，１０３ｂ，１０３ｃによって引き込まれている状態のレンズクリーナ１の側面図である。
【図７】引き込み用ローラー１０３ｃがガード部５に当接している状態のレンズクリーナ１の断面図である。
【図８】クリーニングを実行している状態のレンズクリーナ１の側面図である。
【図９】ガード部５Ａの断面図である。
【図１０】ガード部５Ｂの断面図である。
【図１１】記録面２１側から見たレンズクリーナ１Ａの平面図である。
【符号の説明】
【００３３】
１，１Ａ  レンズクリーナ
２  ディスク本体
３  クリーニング部
４，４Ａ  保液部
５，５Ａ，５Ｂ，５Ｃ  ガード部
２１  記録面
２２  レーベル面
２３  挿通孔
３１  先端部
３２  基端部
１０１  光ピックアップ
１０２  レンズ
２０１  クリーニング液
【図１】
0004490390.tif 000002
【図２】
0004490390.tif 000003
【図３】
0004490390.tif 000004
【図４】
0004490390.tif 000005
【図５】
0004490390.tif 000006
【図６】
0004490390.tif 000007
【図７】
0004490390.tif 000008
【図８】
0004490390.tif 000009
【図９】
0004490390.tif 000010
【図１０】
0004490390.tif 000011
【図１１】
0004490390.tif 000012